(57)【要約】【課題】  遊技盤と裏セット板とを一体化して本体枠から取り外す。【解決手段】  遊技盤４と裏セット板１８とを、本体枠３の係止部３ａに着脱自在に固定する。一体化レバー２０は、把手部２０ａ、突出部２０ｂ、上突出片２０ｃ及び下突出片２０ｄを備える。上突出片２０ｃ及び下突出片２０ｄを、弾性変形する樹脂製等の部材から構成する。上突出片２０ｃに上爪部２０ｅを、下突出片２０ｄに下爪部２０ｆをそれぞれ形成する。遊技盤４にレバー挿通孔４ｄを形成する。本体部１８ａにレバー保持孔１８ｆを形成する。本体部１８ａの後面に、防護キャップ３０を取り付ける。突出部２０ｂ、上突出片２０ｃ及び下突出片２０ｄを、遊技盤４の前面側からレバー挿通孔４ｄ、レバー保持孔１８ｆの順に挿通すると、上突出片２０ｃ及び下突出片２０ｄがレバー保持孔１８ｆから抜き出し不能となり、遊技盤４と裏セット板１８とが一体化される。【選択図】        図２
2006000317.tif 000002
【特許請求の範囲】
【請求項１】
遊技球が打ち出される遊技領域を有する遊技盤と、前記遊技盤の裏面に設けられ、遊技中の電気的制御に用いられる制御装置を支持する支持部及び前記遊技球が流下する球通路の少なくとも一方を有する裏機構板と、前記遊技盤と前記裏機構板とが前面側から着脱自在に取り付けられる本体基部と、前記裏機構板を前記本体基部に着脱自在に固定する第１固定部と、前記遊技盤を前記本体基部に着脱自在に固定する第２固定部と、を備えた遊技機において、
前記裏機構板には第１挿通孔が、前記遊技盤には前記裏機構板及び前記遊技盤を前記本体基部に固定したときに前記第１挿通孔に連通する第２挿通孔がそれぞれ形成され、
前記第１挿通孔及び前記第２挿通孔に挿通可能な挿通部、前記挿通部を前記第１挿通孔及び第２挿通孔に挿通したときに挿通した方向とは逆方向への前記挿通部の挿通を不能とする係止部を有し、前記裏機構板と前記遊技盤とを一体化する一体化手段を備えたことを特徴とする遊技機。
【請求項２】
前記一体化手段による前記裏機構板と前記遊技盤との一体化が解除されたか否かを検知する検知部を備えたことを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、ガイドレール枠が取り付けられた遊技盤と、図柄可変表示装置や制御回路基板が組み付けられた裏機構板と称される支持体とが一体的に組み付けられてユニット化された遊技盤ユニットが、パチンコ機を構成する基体となる本体基部の枠状の取付部に着脱自在に取り付けられている。近年では、本体基部を複数種類の機種に対応可能な共通部品として遊技場に据え置きにして、遊技盤と裏機構板とのいずれか１つまたは両方（遊技盤ユニット）を新たなものに交換することでパチンコ機の機種交換を行うことがある。
【発明の開示】
【発明が解決しようとする課題】
【０００３】
しかしながら、裏機構板と遊技盤とは一体的に組み付けられてユニット化されており、遊技盤ユニットとして裏機構板と遊技盤との両方を交換する場合に限らず、裏機構板と遊技盤とのいずれか１つを交換する場合にも、遊技盤ユニットを本体基部から取り外してから裏機構板と遊技盤とのいずれか１つを新たなものに交換する必要があり、交換作業に手間がかかるものであった。このため、裏機構板と遊技盤とをそれぞれ個別に本体基部に着脱自在に取り付ける方法が考えられるが、この方法では、裏機構板と遊技盤とを両方交換する場合には、本体枠から取り外した裏機構板と遊技盤とは、バラバラになっており、本体枠から取り外した裏機構板と遊技盤とを工場等に搬送して再使用する際に、それぞれ個別に搬送する必要があり、手間がかかっていた。
【０００４】
本発明は、上記課題を解決するためになされたものであり、裏機構板と遊技盤とを本体基部から取り外す際に、状況に応じて、一体化して取り外すか個別に取り外すかを選択することができる遊技機を提供することを目的とする。
【課題を解決するための手段】
【０００５】
上記目的を達成するために、本発明の遊技機は、遊技球が打ち出される遊技領域を有する遊技盤と、前記遊技盤の裏面に設けられ、遊技中の電気的制御に用いられる制御装置を支持する支持部及び前記遊技球が流下する球通路の少なくとも一方を有する裏機構板と、前記遊技盤と前記裏機構板とが前面側から着脱自在に取り付けられる本体基部と、前記裏機構板を前記本体基部に着脱自在に固定する第１固定部と、前記遊技盤を前記本体基部に着脱自在に固定する第２固定部と、を備えた遊技機において、前記裏機構板には第１挿通孔が、前記遊技盤には前記裏機構板及び前記遊技盤を前記本体基部に固定したときに前記第１挿通孔に連通する第２挿通孔がそれぞれ形成され、前記第１挿通孔及び前記第２挿通孔に挿通可能な挿通部、前記挿通部を前記第１挿通孔及び第２挿通孔に挿通したときに挿通した方向とは逆方向への前記挿通部の挿通を不能とする係止部を有し、前記裏機構板と前記遊技盤とを一体化する一体化手段を備えたことを特徴とする。
【０００６】
なお、前記一体化手段による前記裏機構板と前記遊技盤との一体化が解除されたか否かを検知する検知部を備えることが好ましい。
【発明の効果】
【０００７】
本発明の遊技機によれば、遊技球が打ち出される遊技領域を有する遊技盤と、遊技盤の裏面に設けられ、遊技中の電気的制御に用いられる制御装置を支持する支持部及び遊技球が流下する球通路の少なくとも一方を有する裏機構板と、遊技盤と裏機構板とが前面側から着脱自在に取り付けられる本体基部と、裏機構板を本体基部に着脱自在に固定する第１固定部と、遊技盤を本体基部に着脱自在に固定する第２固定部と、を備え、裏機構板には第１挿通孔が、遊技盤には裏機構板及び遊技盤を本体基部に固定したときに第１挿通孔に連通する第２挿通孔がそれぞれ形成され、第１挿通孔及び第２挿通孔に挿通可能な挿通部、挿通部を第１挿通孔及び第２挿通孔に挿通したときに挿通した方向とは逆方向への挿通部の挿通を不能とする係止部を有し、裏機構板と遊技盤とを一体化する一体化手段を備えたから、一体化手段の挿通部を第１挿通孔及び第２挿通孔に挿通すると、係止部により挿通部は挿通した方向とは逆方向への挿通が不能とされ、これにより、裏機構板と遊技盤とを一体化することができるため、第１固定部及び第２固定部により本体基部に固定された裏機構板と遊技盤とを一体化してから、第１固定部及び第２固定部による裏機構板及び遊技盤の固定を解除すると、裏機構板と遊技盤とを一体化した状態で本体基部から取り外すことができ、裏機構板と遊技盤とを両方交換することにより遊技機の機種変更を行う場合には、交換作業の作業性を向上することができる。さらには、一体化手段の挿通部を第１挿通孔及び第２挿通孔に挿通しない場合には、裏機構板と遊技盤とをそれぞれ個別に本体基部から取り外すことができるから、裏機構板と遊技盤とを本体基部から取り外す際に、状況に応じて、一体化して取り外すか個別に取り外すかを選択することができる。
【０００８】
また、一体化手段による裏機構板と遊技盤との一体化が解除されたか否かを検知する検知部を備えたから、検知部により、一体化手段による裏機構板と遊技盤との一体化が解除されたか否かを検知することができ、裏機構板と遊技盤とを一体化して本体基部から取り外した後に、裏機構板と遊技盤との一体化を解除し、裏機構板や遊技盤を不正に交換した場合には、検知部による検知により、その不正行為を早期に発見することができる。
【発明を実施するための最良の形態】
【０００９】
図１に示すように、遊技機の１実施例であるパチンコ機（遊技機）２は、本体枠（本体基部）３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３が設けられている。また、遊技盤４の略中央には、センター役物１４が設けられており、センター役物１４に形成された開口１４ａを介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０,１１及びアタッカ１２のいずれかに入るか、あるいはアウト口１３から回収される。なお、パチンコ機２の遊技領域４ａに設けられている複数の釘、風車などの構造体は公知であるので説明は省略する。
【００１０】
前面扉５は、本体枠３の前面に開閉自在に取り付けられており、前面の上側端部には、遊技の際に点灯及び消灯させることにより演出効果を出すランプ１５が設けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体枠３の内部にも触れることができないようになっている。また、前面扉５の前面には、後述する遊技盤係止部材１６の係止部１６ｂと裏セット板係止部材１７の係止部１７ｂとが前面側から視認することができないように遮蔽するための装飾部５ａが設けられている。
【００１１】
図２に示すように、遊技盤４と裏セット板（裏機構板）１８とは、本体枠３の係止部３ａに着脱自在に固定されている。係止部３ａは、遊技盤４及び裏セット板１８を収容するために、本体枠３の前面よりも裏面側に１段凹んで形成されている。係止部３ａの四隅には、遊技盤４を係止するための遊技盤係止部材１６が設けられ、係止部３ａの遊技盤係止部材１６よりも内側の四隅には、裏セット板１８を係止するための裏セット板係止部材１７が設けられている。遊技盤係止部材１６は、軸部１６ａと、軸部１６ａの先端部に回動自在に取り付けられた係止部１６ｂとを備える。裏セット板係止部材１７は、軸部１７ａと、軸部１７ａの先端部に回動自在に取り付けられた係止部１７ｂとを備える。なお、遊技盤係止部材１６は、後述する裏セット板１８の係止部材挿通孔１８ｄ及び遊技盤４の係止部材係止孔４ｂを挿通して、遊技盤４を係止するため、軸部１６ａは、裏セット板１８を本体枠３の係止部３ａに係止した後に遊技盤４を係止部３ａに取り付けたときに、係止部１６ｂが係止部材係止孔４ｂから突出するような長さで形成されている。
【００１２】
図２及び図３に示すように、一体化レバー（一体化手段）２０は、遊技盤４と裏セット板１８とを一体化するものであり、把手となる略板状の把手部２０ａと、把手部２０ａの図３における右側面の上側端部及び下側端部それぞれに形成された略板状の突出部２０ｂと、突出部２０ｂの図３における右側面の上側端部及び下側端部それぞれに形成された薄板状の上突出片２０ｃ及び下突出片２０ｄとを備える。また、上突出片２０ｃ及び下突出片２０ｄは、弾性変形する樹脂製等の部材から構成されている。上突出片２０ｃの図３における上面には、右側端に向けて上下方向の肉厚が薄くなる断面が略三角形状の上爪部（係止部）２０ｅが、下突出片２０ｄの図３における下面には、右側端に向けて上下方向の肉厚が薄くなる断面が略三角形状の下爪部（係止部）２０ｆが、それぞれ突出して形成されている。本実施形態では、裏セット板１８のレバー保持孔（第１挿通孔）１８ｆ及び遊技盤４のレバー挿通孔（第２挿通孔）４ｄに挿通可能な挿通部は、突出部２０ｂ、上突出片２０ｃ及び下突出片２０ｄから構成される。なお、突出部２０ｂを遊技盤４のレバー挿通孔４ｄ及び裏セット板１８のレバー保持孔１８ｆに挿通したときに挿通した方向（図３中Ａ方向）とは逆方向（図３中Ｂ方向）への突出部２０ｂ、上突出片２０ｃ及び下突出片２０ｄの挿通を不能とする係止部は、上記したような上爪部２０ｅ及び下爪部２０ｆに限定されることなく、鏃状の鏃部などから構成してもよく、適宜変更されるものである。
【００１３】
裏セット板（裏機構板）１８は、図柄可変表示装置９、主制御回路基板（制御装置）３１及び副制御回路基板（制御装置）３２（図６参照）を支持する略板状の本体部（支持部）１８ａを備え、本体部１８ａの前面には複数の突出片１８ｂが立設されており、これら突出片１８ｂにより球通路１８ｃが形成されている。遊技を行った際に各入賞口１０、１１、アタッカ１２及びアウト口１３に入ったパチンコ球７は、突出片１８ｂにより形成された球通路１８ｃを通過して所定の受け部に誘導される。本体部１８ａの四隅には、遊技盤係止部材１６を挿通するための係止部材挿通孔１８ｄが形成されている。本体部１８ａの係止部材挿通孔１８ｄよりも内側の四隅には、裏セット板係止部材１７を挿通し、挿通した裏セット板係止部材１７を係止するための係止部材係止孔１８ｅが形成されている。本体部１８ａの右側端部の上側端部及び下側端部には、一体化レバー２０の上突出片２０ｃ、下突出片２０ｄ、上爪部２０ｅ及び下爪部２０ｆを挿通して、挿通した一体化レバー２０を抜き出し不能に保持するためのレバー保持孔（第１挿通孔）１８ｆが形成されている。本体部１８ａの後面には、レバー保持孔１８ｆを挿通した一体化レバー２０の上爪部２０ｅ及び下爪部２０ｆを外部から接触不能に防護するための防護キャップ（検知部）３０がワンウェイネジ等でカシメられている。防御キャップ３０は、直方体状に形成され、六面のうちの一面には、上爪部２０ｅ及び下爪部２０ｆを収容するための凹状の収容凹部３０ａが形成されている。防御キャップ３０は、２個設けられている。本実施形態では、裏セット板１８を本体枠３に着脱自在に固定する第１固定部は、裏セット板係止部材１７と係止部材係止孔１８ｅとから構成される。なお、防御キャップ３０は、直方体状に限定されることなく、円柱状でもよく、適宜変更されるものである。
【００１４】
図２に示すように、遊技盤４の四隅には、遊技盤係止部材１６を挿通し、挿通した遊技盤係止部材１６を係止するための係止部材係止孔４ｂが形成されている。遊技盤４の係止部材係止孔４ｂよりも内側の四隅には、裏セット板１８の係止部材挿通孔１８ｄ及び裏セット板係止部材１７の係止部１７ｂを露呈するための露呈孔４ｃが形成されている。遊技盤４の右側端部の上側端部及び下側端部には、一体化レバー２０の突出部２０ｂ、上突出片２０ｃ、下突出片２０ｄ、上爪部２０ｅ及び下爪部２０ｆを挿通するためのレバー挿通孔（第２挿通孔）４ｄが形成されている。遊技盤４の前面には、外レール２６、第１内レール２７、第２内レール２８が取り付けられている。外レール２６と第１内レール２７との間は、打ち出されたパチンコ球７を遊技領域４ａに向けて誘導するためのガイド部となる。外レール２６、第１内レール２７及び第２内レール２８は、例えばポリアセタール等の摺動性、耐摩耗性に優れた樹脂材から形成されている。本実施形態では、遊技盤４を本体枠３に着脱自在に固定する第２固定部は、遊技盤係止部材１６と係止部材係止孔４ｂとから構成される。
【００１５】
遊技盤係止部材１６及び裏セット板係止部材１７は同じ構造の部材により構成されているため、本体枠３に裏セット板１８を係止するための裏セット板係止部材１７のみを例に説明し、遊技盤係止部材１６の説明は簡略化する。図４に示すように、裏セット板１８の係止部材係止孔１８ｅは、裏セット板係止部材１７が挿通可能な大きさで、裏セット板係止部材１７の係止部１７ｂと係止可能となるように形成されている。係止部１７ｂは、軸部１７ａに回動自在に軸支されており、裏セット板１８が取り付けられていない状態では、係止部１７ｂは長手方向が垂直に向けられた係止解除位置にセットされている。裏セット板１８を本体枠３の係止部３ａに取り付けると、裏セット板係止部材１７が裏セット板１８の係止部材係止孔１８ｅに挿通され、係止部１７ｂが回転自在となるように係止部材係止孔１８ｅから突出する。
【００１６】
図５に示すように、係止部１７ｂが係止部材係止孔１８ｅから突出した状態でその長手方向が水平となるように９０度回転されると、裏セット板係止部材１７は係止位置にセットされる。係止位置への回動によって、係止部１７ｂが係止部材係止孔１８ｅから挿脱不能となり、裏セット板１８を係止する。これにより、本体枠３と裏セット板１８とは係止され、裏セット板が本体枠３に固定される。
【００１７】
図６に示すように、主制御回路基板３１と副制御回路基板３２とは電気的に接続されている。副制御回路基板３２には、図柄可変表示装置９の可変表示制御を行うための演出プログラムが記憶されたプログラムＲＯＭ及び、図柄可変表示装置９で表示する画像データ、音声データ、ランプ１５の点灯及び消灯を行うためのランプデータ等が記憶されているデータＲＯＭが設けられている。主制御回路基板３１は、遊技中の電気的制御を行うものであり、副制御回路基板３２に所定の遊技状態となるように実行させる。例えば、始動入賞口１０に設けられている入賞球検知センサ（図示せず）によりパチンコ球７の入賞が検知されると、主制御回路基板３１にスタート信号が入力される。主制御回路基板３１は、スタート信号が入力されたことに応じてハズレ又は当たりを決定する抽選を行い、抽選結果に応じた命令信号を副制御回路基板３２に出力する。副制御回路基板３２は、入力された命令信号に応じてプログラムＲＯＭ及びデータＲＯＭから演出プログラム及び各種データを読み込み、読み込んだ演出プログラム及び各種データに応じて図柄可変表示装置９やランプ１５（図１参照）等の駆動を制御する。
【００１８】
上記のように構成されたパチンコ機２の作用について説明する。パチンコ機２の機種交換を行う際に、遊技盤４と裏セット板１８とを両方新たなものに交換する場合には、図７及び図８に示すように、先ず、一体化レバー２０の突出部２０ｂ、上突出片２０ｃ、下突出片２０ｄ、上爪部２０ｅ及び下爪部２０ｆを、遊技盤４の前面側から図７中Ａ方向に、レバー挿通孔４ｄ、裏セット板１８のレバー保持孔１８ｆの順に挿通する。このとき、図７（Ａ）に示すように、上突出片２０ｃが図７（Ａ）における下側方向に、下突出片２０ｄが図７（Ａ）における上側方向にそれぞれ変形する。上突出片２０ｃ及び下突出片２０ｄは、弾性変形する部材から構成されており、図７（Ｂ）に示すように、上爪部２０ｅ及び下爪部２０ｆがレバー保持孔１８ｆを挿通されると、上突出片２０ｃが図７（Ｂ）における上側方向に、下突出片２０ｄが図７（Ｂ）における下側方向にそれぞれ変形して元の形状に戻り、上爪部２０ｅ及び下爪部２０ｆの図７（Ｂ）における左側面が、裏セット板１８の本体部１８ａの後面に当接して、一体化レバー２０がレバー保持孔１８ｆから抜き出し不能となる。すなわち、突出部２０ｂ、上突出片２０ｃ及び下突出片２０ｄは、上爪部２０ｅ及び下爪部２０ｆがレバー保持孔１８ｆを挿通されると、図７中Ａ方向とは逆方向の図７中Ｂ方向への挿通が不能となる。これにより、図８に示すように、遊技盤４と裏セット板１８とが一体化された状態となる。このとき、レバー保持孔１８ｆを挿通した一体化レバー２０の上爪部２０ｅ及び下爪部２０ｆは、防護キャップ３０により外部から接触不能に防護される。
【００１９】
そして、本体枠３と遊技盤４との係止を解除する。本体枠３と遊技盤４との係止を解除するには、遊技盤係止部材１６の係止部１６ｂを係止位置から係止解除位置に回動する。係止部１６ｂを係止位置から係止解除位置に回動すると、本体枠３と遊技盤４との係止が解除される。次に、本体枠３と裏セット板１８との係止を解除する。本体枠３と裏セット板１８との係止を解除するには、裏セット板係止部材１７の係止部１７ｂを係止位置（図５参照）から係止解除位置（図４参照）に回動する。このとき、係止部１７ｂは遊技盤４の露呈孔４ｃにより回動自在に露呈されるから、係止部１７ｂを回動することができる。係止部１７ｂを係止位置から係止解除位置に回動すると、本体枠３と裏セット板１８との係止が解除される。そして、一体化レバー２０により一体化された遊技盤４と裏セット板１８とを、本体枠３の前面側から取り外す。一体化レバー２０の把手部２０ａの図７（Ｂ）における右側面と遊技盤４の前面との間には、作業者が指を入れることができる程度の隙間があり、作業者は、この隙間に指を差し込み、把手部２０ａを掴んで遊技盤４と裏セット板１８とを取り外す。これにより、容易に遊技盤４と裏セット板１８とを本体枠３から取り外すことができ、さらには、本体枠３から取り外した遊技盤４と裏セット板１８とを搬送する際にも、把手部２０ａを掴むだけで容易に搬送することができる。そして、新たな遊技盤４及び裏セット板１８を、上述したように本体枠３に固定する。
【００２０】
また、パチンコ機２の機種交換を行う際に、遊技盤４のみを新たなものに交換する場合には、一体化レバー２０による遊技盤４と裏セット板１８との一体化を行わずに、上述したように、本体枠３と遊技盤４との係止を解除して、遊技盤４のみを本体枠３から取り外す。そして、新たな遊技盤４を本体枠３に固定する。
【００２１】
このように、遊技盤４と裏セット板１８とを両方新たなものに交換することによりパチンコ機２の機種交換を行う場合には、一体化レバー２０により遊技盤４と裏セット板１８とを一体化し、遊技盤４と裏セット板１８とを一体化した状態で本体枠３から取り外すことができるから、作業者の手間を低減することができるともに、作業性を向上することができる。また、遊技盤４のみを両方新たなものに交換することによりパチンコ機２の機種交換を行う場合には、一体化レバー２０による遊技盤４と裏セット板１８との一体化を行わないことにより、遊技盤４のみを本体枠３から取り外すことができるから、新たなものに交換しない裏セット板１８を本体枠３に固定したままにすることができ、作業者の手間を低減することができるともに、作業性を向上することができる。すなわち、状況に応じて、遊技盤４と裏セット板１８とを一体化して取り外すか個別に取り外すかを選択することができる。さらに、裏セット板１８のレバー保持孔１８ｆを挿通した一体化レバー２０の上爪部２０ｅ及び下爪部２０ｆは、防護キャップ３０により外部から接触不能に防護されており、遊技盤４と裏セット板１８との一体化を解除するために、上爪部２０ｅ及び下爪部２０ｆを変形させるには、防護キャップ３０を裏セット板１８の本体部１８ａの後面から取り外す必要があるが、防護キャップ３０を本体部１８ａの後面から取り外すと、その痕跡が残るため、一体化した遊技盤４と裏セット板１８とを搬送するとき等に、裏セット板１８や遊技盤４が不正に交換された場合にも、不正行為を早期に発見することができる。
【００２２】
なお、上記実施形態では、遊技盤４と裏セット板１８とを一体化する一体化レバー２０を１個設ける構成にしたが、一体化レバー２０の個数は適宜変更されるものである。
【００２３】
また、上記実施形態では、一体化レバー２０による遊技盤４と裏セット板１８との一体化が解除されたか否かを検知する検知部を、防護キャップ３０から構成したが、これに限定されることなく、一体化レバー２０による遊技盤４と裏セット板１８との一体化が解除されたか否かを検知することができればよく、例えば、レバー保持孔１８ｆに挿通した一体化レバー２０の上爪部２０ｅ及び下爪部２０ｆと裏セット板１８とに亘って貼り付けるシールから構成してもよい。この場合には、遊技盤４と裏セット板１８との一体化を解除するために上爪部２０ｅ及び下爪部２０ｆを変形させるには、シールを破損させる必要があり、この破損により一体化レバー２０による遊技盤４と裏セット板１８との一体化が解除されたことを検知することができる。
【００２４】
さらに、上記実施形態では、通常時（パチンコ機２を遊技場に設置して、遊技場で稼働させている状態）には、一体化レバー２０による遊技盤４と裏セット板１８との一体化を行わずに、遊技盤４と裏セット板１８とを本体枠３の前面側から取り外すときに、一体化レバー２０をレバー挿通孔４ｄ、裏セット板１８のレバー保持孔１８ｆの順に挿通して、遊技盤４と裏セット板１８とを一体化したが、これに限定されることなく、通常時にも、一体化レバー２０により遊技盤４と裏セット板１８とを一体化するようにしてもよい。
【００２５】
図９及び図１０に他の実施形態を示す。上記実施形態のものと同様の構成部材には同一の符号を付し、その詳細な説明を簡略化する。図９に示すように、この実施形態では、遊技盤４の前面の右側端部には、一体化レバー２０の把手部２０ａを収容するための凹状の収容凹部４ｅが形成されており、この収容凹部４ｅの上側端部及び下側端部にレバー挿通孔（第２挿通孔）４ｄが形成されている。収容凹部４ｅは、その幅方向（図９中Ｃ方向）において、一体化レバー２０の幅方向（図９中Ｃ方向）の長さよりも長い幅形状で形成されている。把手部２０ａの突出部２０ｂが設けられた面とは反対側の面の略中心部には、凸状のつまみ２０ｇが形成されている。
【００２６】
図１０に示すように、収容凹部４ｅは、一体化レバー２０の突出部２０ｂ、上突出片２０ｃ、下突出片２０ｄ、上爪部２０ｅ及び下爪部２０ｆを、レバー挿通孔４ｄ及びレバー保持孔１８ｆに挿通して、遊技盤４と裏セット板１８とを一体化したときに、把手部２０ａ及びつまみ２０ｇが遊技盤４の前面から突出しないような深さで形成されている。これにより、一体化レバー２０により遊技盤４と裏セット板１８とを一体化したときに、把手部２０ａ及びつまみ２０ｇが遊技盤４の前面から突出することがなくなるから、通常時（パチンコ機２を遊技場に設置して、遊技場で稼働させている状態）に一体化レバー２０により遊技盤４と裏セット板１８とを一体化した場合にも、一体化レバー２０が邪魔になることがない。また、作業者が、一体化した遊技盤４と裏セット板１８とを本体枠３から取り外すために、一体化レバー２０の把手部２０ａを掴むときにも、つまみ２０ｇを掴んで一体化レバー２０を前面側に移動させ、収容凹部４ｅにより形成された遊技盤４の図１０中Ｃ方向の両内壁面と、把手部２０ａの図１０中Ｃ方向の両側面との間の空間に指を入れることにより、容易に把手部２０ａを掴むことができる。
【図面の簡単な説明】
【００２７】
【図１】本発明を実施したパチンコ機の外観を示す斜視図である。
【図２】本体枠と遊技盤と裏セット板と一体化レバーとを示す分解斜視図である。
【図３】本体枠と裏セット板と裏セット板係止ネジとを示す側面断面図である。
【図４】本体枠と遊技盤と裏セット板と遊技盤係止ネジとを示す正面図である。
【図５】遊技盤と裏セット板との構成を分解した状態の概略を示す側面断面図である。
【図６】一体化レバーを裏セット板に取り付けた状態の遊技盤と裏セット板と一体化レバーと防護キャップとを示す側面断面図である。
【図７】遊技盤と裏セット板と一体化レバーと防護キャップとを示す側面断面図である。
【図８】一体化レバーを裏セット板に取り付けた状態の遊技盤と裏セット板と一体化レバーと防護キャップとを示す斜視図である。
【図９】遊技盤の前面に一体化レバーの把手部を収容する収容凹部を形成した実施形態の遊技盤と裏セット板と一体化レバーとを示す分解斜視図である。
【図１０】一体化レバーを裏セット板に取り付けた状態の遊技盤と裏セット板と一体化レバーとを示す側面断面図である。
【符号の説明】
【００２８】
２  パチンコ機（遊技機）
３  本体枠（本体基部）
４  遊技盤
４ａ  遊技領域
４ｂ  係止部材係止孔
４ｃ  露呈孔
４ｄ  レバー挿通孔（第２挿通孔）
７  パチンコ球
１８  裏セット板（裏機構板）
１８ａ  本体部（支持部）
１８ｂ  突出片
１８ｃ  球通路
１８ｄ  係止部材挿通孔
１８ｅ  係止部材係止孔
１８ｆ  レバー保持孔（第１挿通孔）
２０  一体化レバー（一体化手段）
２０ａ  把手部
２０ｂ  突出部
２０ｃ  上突出片
２０ｄ  下突出片
２０ｅ  上爪部（係止部）
２０ｆ  下爪部（係止部）
３０  防護キャップ（検知部）
３１  主制御回路基板（制御装置）
３２  副制御回路基板（制御装置）
【図１】
2006000317.tif 000003
【図２】
2006000317.tif 000004
【図３】
2006000317.tif 000005
【図４】
2006000317.tif 000006
【図５】
2006000317.tif 000007
【図６】
2006000317.tif 000008
【図７】
2006000317.tif 000009
【図８】
2006000317.tif 000010
【図９】
2006000317.tif 000011
【図１０】
2006000317.tif 000012